(57)【特許請求の範囲】
【請求項１】
転送装置、基地局制御装置、及び該基地局制御装置に接続される複数の基地局変復調装置を有する移動通信システムにおける遠隔データ転送システムであって，
前記基地局変復調装置にデータファイルの版数を記憶する手段を有し、
前記転送装置から基地局制御装置を介して前記基地局変復調装置に更新データファイルを転送する時、前記版数を記憶する手段に記憶される版数をリセットし、データファイルの更新が正常終了したときのみ新しい版数を，前記版数を記憶する手段に書き込む
ことを特徴とする遠隔データ転送システム。
【発明の詳細な説明】
【０００１】
【産業上の利用分野】
本発明は、移動通信システムにおいて、基地局制御装置、基地局変復調装置へファイルを遠隔転送するためのデータ転送システムに関する。
【０００２】
【従来の技術】
近年の移動通信システムの普及、規模の拡大に伴い、遠隔地でのシステムの管理、運営、保守が要求されている。このために、遠隔転送制御システムが提供されているが、基地局制御装置、基地局変復調装置の数の増加ととともにデータ転送を高速化、簡易化する必要がある。
【０００３】
従来のデータ転送システムにおいては、転送装置から基地局制御装置、あるいは基地局制御装置から基地局変復調装置にデータを転送する場合、ファイル情報をそのままの形式で転送していた。また基地局制御装置、基地局変復調装置の数が少なく、一種類のファイルを使用していたために一局ずつファイルを読みだしながら情報を転送していた。
【０００４】
ところが、ファイル情報の規模が大きく、更に転送すべき基地局制御装置、基地局変復調装置の数も膨大になり、転送するファイルが一種類であっても、ファイルアクセス回数が多いために、対象局全部に転送するために相当の時間を要するものとなってきた。今後、数種類のファイルを転送をする必要が生じた場合には、より一層の保守効率の低下・保守時間の増大につながる。
【０００５】
更に、従来のデータ転送システムにおいては、ファイル版数、データ領域等を意識せずにファイルの先頭から順に転送し、転送が終了した後、転送装置において制御局及び基地局のファイルの版数を読みだすことによりファイル転送が正常に行われたか否かを判断していた。
【０００６】
ところが、ファイル情報の先頭に版数が入っているために、その後のデータ領域の転送時に異常が発生した場合においても版数の情報は正常に読みだすことができ、あたかも正常にファイル情報が転送されたように認識されてしまう。
【０００７】
また特に、従来のディジタル自動者電話システムにおいては、１つの基地局制御装置が管理する複数の基地局変復調装置は全て同一種類のものであったため、基地局制御装置から基地局変復調装置への遠隔転送時に使用するシステムファイルも一種類であり、技術的にも相手基地局変復調装置を意識した処理は行われていなかった。
【０００８】
しかし、今後基地局の改良などにより、基地局制御装置配下の基地局変復調装置の種類が必ずしも同一ではない状態が発生することは、容易に想定される。したがって、基地局変復調装置の種類を認識した上での遠隔ファイル転送の方式が必要となる。
【０００９】
【発明が解決しようとする課題】
したがって、ファイルのバージョンアップ等で基地局制御装置、基地局変復調装置内のファイルの書換えが必要となる場合が頻繁にあっても、ファイル転送に時間がかかるためにすぐに最新のファイルを提供することができない。これにより、該当基地局制御装置、基地局変復調装置のファイルのバージョンが同レベルに揃うまでに長い時間を要するといった問題がある。
【００１０】
本発明の目的は、かかる点からファイル転送時間を短縮し、ファイル変更の際には短時間でファイルの書換えができる移動通信における遠隔データ転送システムを提供することにある。
【００１１】
また、版数領域のファイル転送は、成功したが、データ領域のファイル転送が失敗した場合に、転送装置から版数情報を読みだす限りでは、ファイル転送失敗を認識出来ないという問題がある。
【００１２】
したがって、本発明の更なる目的は、基地局制御装置、基地局変復調装置のファイルを更新する途中で異常が発生した場合、ファイルが正常に更新されなかったことが、基地局制御装置、基地局変復調装置のファイル上で直ちに判明できる移動通信における遠隔データ転送システムを提供することにある。
【００１３】
更にまた、仮に基地局制御装置配下に２種類の基地局変復調装置が存在するとすれば、転送装置は、被転送ファイルがいずれの種類の基地局変復調装置であるかを認識することが必要である。基地局制御装置は、遠隔転送される２種類の基地局変復調装置システムファイルをそれぞれ独立に管理しなければならない。また各基地局変復調装置へシステムファイルを遠隔転送する際に、相手基地局変復調装置に適するシステムファイルを選択することが必要である。
【００１４】
更に、転送装置からファイル転送実行時、操作員が複数のシステムファイルの転送を意識することなく転送できることが望ましい。
【００１５】
かかる点に基づき、本発明の更なる目的は、転送装置─基地局制御装置─基地局変復調装置間の遠隔ファイル転送において、複数種類の基地局変復調装置が存在する場合にも対応できるデータ転送システムを提供することにある。
【００１６】
【課題を解決するための手段及び作用】
本発明に従う移動通信における遠隔データ転送システムの第１の態様は、転送装置、基地局制御装置、及び該基地局制御装置に接続される複数の基地局変復調装置を有する移動通信システムにおいて，前記基地局変復調装置にデータファイルの版数を記憶する手段を有し、前記転送装置から基地局制御装置を介して前記基地局変復調装置に更新データファイルを転送する時、前記版数を記憶する手段に記憶される版数をリセットし、データファイルの更新が正常終了したときのみ新しい版数を前記版数を記憶する手段に書き込むことを特徴とする。
【００２０】
かかる本発明の第１の態様により、ファイル更新が異常で終了した時、版数格納領域の内容が初期化（例えば版数０）され、版数格納領域が初期状態であることにより、異常を認識することが可能であり、したがって、異常を正常と同様の状態で処理してしまうことを回避出来る。
【００２１】
また本発明に従う移動通信における遠隔データ転送システムの第２の態様は、前記第１の態様において，前記転送すべきデータファイルは転送先の基地局変復調装置のタイプに対応した識別情報を有し、前記転送装置は、前記識別情報を判別し、判別された識別情報毎に対応する、前記基地局制御装置の格納アドレスを前記転送すべきデータファイルに付して、前記基地局制御装置に転送し、前記基地局制御装置は、識別情報毎に対応する格納アドレスに該転送されたデータファイルを格納し、更に、前記基地局制御装置は、格納アドレスに格納されたデータファイルを読出し、前記識別情報に対応するタイプの基地局変復調装置に転送することを特徴とする。
【００２２】
かかる本発明の第２の態様により、転送装置は、転送するファイルの種別に係わらず、同一手順でデータ転送が可能であり、基地局制御装置もファイル種別を意識することなく管理することが可能である。
【００２３】
更に、本発明に従う移動通信における遠隔データ転送システムの第３の態様は、前記第２の態様において，前記転送装置は、送信するデータファイルを前記基地局変復調装置のタイプ別に一回に送信できるサイズに編集する編集機能を有し、該編集機能により編集されたデータファイルを対応するタイプの前記基地局変復調装置に向け転送することを特徴とする。
【００２４】
かかる本発明の第３の態様により、基地局変復調装置において送信されたデータを編集するよりも、アクセス及び編集処理が削減出来る。
【００２５】
【実施例】
以下図面にしたがい本発明の好適な実施例を説明する。尚、図において、同一または類似のものには同一の参照記号及び数字を付して説明する。
【００２６】
図１は、本発明のデータ転送システムが適用される移動通信システムの構成図である。図において、１は転送装置であり、ファイル種別にファイル識別機能１１、ファイル圧縮機能１２及び編集機能１３を持つ。
【００２７】
２は監視装置であり、３は交換機であり、データ転送において中継機能のみを果たす。４は複数の基地局制御装置（以下、制御局と称する）のグループであり、図の例では一対の制御局４０、４１を有する。
【００２８】
更に制御局４０、４１の各々は、複数のファイルを格納管理する領域１４、ファイルの格納及び管理を制御する機能１５及びファイルを圧縮、解凍する機能１６を有する。
【００２９】
更に、図中５は制御局４０、４１に接続される複数の基地局変復調装置（以下、基地局という）のグループであり、制御局４０、４１に接続される。そして各々の基地局はファイル解凍機能を有する。
【００３０】
図２は、図１のシステムにおいて転送されるデータの形式を説明する図である。図において、（１）は信号フォーマットであり、フォーマット先頭に信号長２０が乗せられ、それに続き複数のデータ部２１〜２ｎがある。
【００３１】
（２）、（３）は、複数のデータ部２１〜２ｎの１のデータ部の内容であり、（２）は圧縮無しのデータ、（３）は圧縮されたデータを示している。圧縮無しのデータ（２）は、データ長２１０、１または０で圧縮の有無を表示する圧縮有無データ２１１及び圧縮されていないデータ２１２で構成される。
【００３２】
圧縮されたデータ（３）は、データ長２１０、圧縮有無データ２１１、データ形式２１３、繰り返し回数２１４及びデータパターン２１５で構成される。データ形式２１３はデータパターン２１５のデータ形式を特定するものであり、データ形式が１バイト、２バイト、４バイトのいずれであるかを示す。繰り返し回数２１４はデータパターン２１４の繰り返し回数を特定する。
【００３３】
本発明の転送システムは、同じ内容のデータが何回か連続した場合、転送元で図２（３）に示す形式にしたがいデータを圧縮し、これを転送するようにしている。また転送先ではこれを解凍するようにしている。
【００３４】
したがって、転送装置１及び制御局４に圧縮機能、制御局４及び基地局５に解凍機能を持たせることにより、転送装置１から多数の制御局４及び基地局５にファイルデータの転送を行う時も、情報量が小さいファイルとして転送することができる。これにより、転送時間を短縮することができる。
【００３５】
図３は、転送装置１と制御局４との間の本発明にしたがう転送処理フローである。転送装置１は転送するシステムファイル内から、ファイル識別機能１１によりファイルの識別情報（例えば、Ａタイプ用又はＢタイプ用の識別フラグ）をチェックする。
【００３６】
これをもとに制御局４の遠隔転送用格納管理領域１４のいずれに転送するかを決定する。図３では、Ａタイプであれば、転送先アドレスを００００番地として設定し、Ｂタイプであれば、転送先アドレスをＸＸＸＸ番地として設定する（ステップＳ１）。
【００３７】
転送装置１はしたがって、設定された転送先アドレスとファイルデータを制御局４に向けて転送する（ステップＳ２）。
【００３８】
制御局４では、転送先アドレスとファイルデータを受信し、指定されたアドレスから順に受信データを格納する（ステップＳ３）、これにより制御局４ではシステムファイルを更新格納して転送処理が終了する（ステップＳ４）。
【００３９】
したがって、転送装置１は、転送するファイルの種別に係わらず、同一手順にてデータ転送が可能となり、制御局４もファイル種別を意識することなく管理することが可能である。
【００４０】
図４は、制御局４と基地局５との間の本発明にしたがう転送処理フローである。制御局４は転送しようとする基地局５の種別を配下基地局管理情報をもとに判別する（ステップＳ４）。
【００４１】
転送先基地局がＡタイプであるならば、遠隔転送用格納管理領域１４の００００番地からの領域に格納されているデータ、Ｂタイプであるならば、遠隔転送用格納管理領域１４のＸＸＸＸ番地からの領域に格納されているデータを転送するように設定する（ステップＳ５）。ついで、対応する基地局５に上記のデータを転送する（ステップＳ６）。
【００４２】
一方、基地局５では、制御局４からのデータを受信し、システムデータ用メモリに格納する（ステップＳ７）。したがって、複数の基地局５に対してファイル転送が終了する（ステップＳ８）。これにより、適切なシステムファイルを転送することが可能である。
【００４３】
図５及び図６は、ファイル圧縮の具体例を説明する図である。図５は、２０００バイトのデータがメモリ上に格納されている一例を示す。また、００００〜０ＦＦＦ及び１２００〜２０００の領域のデータは、連続したデータパターンが検出できない場合を示している。
【００４４】
更に、１０００〜１０１３は連続したデータパターン“００  ０１  ０２  ０３”が検出できる。また１０１４〜１０２１は連続したデータパターン“ＦＦ  ００”が検出できる。同様に１０２２〜１０３７は連続したデータパターン“８０”が検出できる。また１０３８〜１１ＦＦは連続したデータパターン“００”が検出できる。
【００４５】
このようなデータに対し、図６に示されるようにデータファイルが構成される。即ち、００００〜０ＦＦＦ及び１２００〜２０００の領域のデータは、連続したデータパターンが検出できないので、そのままをデータを転送する（図６：データ部１及び６）。
【００４６】
１０００〜１０１３は連続したデータパターン“００  ０１  ０２  ０３”が検出できるので、図６のようにフォーマットにしたがいデータ部２が作成される。同様にして１０１４〜１０２１に対し、データパターン“ＦＦ  ００”についてデータ部３が、１０２２〜１０３７に対し、データパターン“８０”についてデータ部４が、更に１０３８〜１１ＦＦに対し、データパターン“００”についてデータ部５が作成される。
【００４７】
上記にようにして、２０００バイトのデータを１Ｅ３６バイトに縮小して転送することができる。このために転送時間を短縮することが可能になる。
【００４８】
図７は、更に上記の制御局４から基地局５へのデータ転送の手順ついて説明する図である。
【００４９】
先ず基地局ファイルを転送する場合、ＡまたはＢタイプのファイル１４から１回に送信できるサイズを各タイプ毎に編集する（図において、▲１▼〜▲３▼、▲１▼’〜▲３▼’）。
【００５０】
図で１６は送信するデータ▲１▼〜▲３▼、▲１▼’〜▲３▼’順次送信することを意味している。そして、送信すべき基地局がどのタイプかにより、そのタイプに応じた送信データを送信する。図の例では基地局５０、５１はタイプＡであり、基地局５０’、５１’はタイプＢである。したがって、基地局５０、５１にはデータ▲１▼〜▲３▼が、基地局５０’、５１’にはデータ▲１▼’〜▲３▼’が送信される。
【００５１】
データ▲１▼〜▲３▼、▲１▼’〜▲３▼’の順次全局への送信が終了した時は、再びデータ▲１▼、▲１▼’から送信するようにして、同じデータの送信を繰り返す。
【００５２】
以上により、基地局単位で送信データを編集する場合よりも、アクセス及び編集処理が削減できる。
【００５３】
図８は、本発明にしたがい制御局４で転送装置１から送られたデータをダウンロードしてファイルを更新する処理の手順を示す図である。図においてシステムファイル（予備）領域は、制御局４のファイル格納領域１４に存在する。
【００５４】
即ち、ダウンロードを開始する前に、受信されたヘッダ部及びデータ部からなるシステムファイル（予備）領域のヘッダ部（版数等を含む）１４０を０クリアする（ステップＳ１）。
【００５５】
制御局４からダウンロードされるシステムファイルの内、版数は一時的に保存される（ステップＳ２）。ついでデータ部をシステムファイル（予備）領域のデータ部１４１に書き込む（ステップＳ３）。
【００５６】
更に、このようにダウンロードが正常に完了した時に、保存しておいた版数を書き込む。同様に、システムファイル（予備）からシステムファイル（現用）にコピーする時も同様とする。
【００５７】
以上により、ファイル更新に異常が発生して、ファイルの更新が途中で中断した場合に版数だけが更新されたようになる現象を回避できる。また、版数の０クリア検出を契機に再度ファイル更新することが可能である。
【００５８】
図９は、転送装置１と制御局４との間のデータ転送手順を具体的に説明する図である。転送装置１において、被転送ファイル内の識別情報により被転送ファイルがＡタイプかＢタイプかを判断する（ステップＳ１１）。制御局４に対してタイプ別に格納領域の先頭番地ADD とファイルの内容FLを転送する（ステップＳ１２）。
【００５９】
制御局４は受信した番地から遠隔伝送用格納領域（メモリ）１４にファイルの内容を格納する（ステップＳ１３）。
【００６０】
図１０は、制御局４から基地局５に対するデータ転送手順を具体的に説明する図である。図において、制御局４のファイル格納管理手段１５に、基地局管理情報として基地局５のタイプＡ、Ｂが登録されている。
【００６１】
したがって、ファイル格納領域１４には、タイプＡ、Ｂ毎に転送装置１からの転送データがＡ領域、Ｂ領域に格納される。したがって、各々の領域から読みだされ、対応するタイプの基地局に送られる。
【００６２】
更に、図１１は、基地局多様化時に対応する転送装置操作の方法を説明する図である。転送装置１から制御局４にダウンロードする場合、転送装置１は事前に制御局４の版数情報（ｉ’，ｊ’）をヘッド情報から得る（ステップＳ１４）。
【００６３】
ついで転送装置１のシステムファイルの版数情報（ｉ，ｊ）を転送装置１の図示しない作業領域に読み込む（ステップＳ１５）。
【００６４】
そして、転送装置１のモニタに作業領域から読みだして、これら二つの版数（ｉ，ｊ）及び（ｉ’，ｊ’）の情報を表示する（ステップＳ１６）。操作員は、この表示から行進すべきファイルと現在のファイルを確認することにより、ファイルを更新して良いかを確認する。
【００６５】
操作員は、他の確認により更新を実行する場合は、既に説明したように本発明のシステムにおいて、各々のファイルを一回の操作でファイル更新することが可能である。
【００６６】
【発明の効果】
以上実施例にしたがい説明したように、本発明は転送側の装置である転送装置１及び制御局４において、ファイルを圧縮することにより、転送するデータそのものを小さくし、且つファイルのアクセス回数を減らすことができる。
【００６７】
更に、ファイルを転送された側で圧縮されたファイルを解凍するために、ファイル情報転送時間の短縮となる効果を奏し、保守効率の向上、保守時間の短縮に寄与するところが大きい。
【００６８】
また、本発明によって、ファイルを更新する途中で異常が発生した場合、ファイルが正常に更新されなかったことが、制御局４、基地局５のファイル上で直ちに判別できるので保守時間の短縮が図れる。
【００６９】
更にまた、本発明によって、既存の制御局配下に異なる種類の基地局が新たに設置された場合にも、ユーザは特にそれを意識することなく従来と同様の操作によって遠隔ファイル転送が可能である。またユーザがファイルの種別を意識することがないので、誤転送等の防止がはかれる。
【図面の簡単な説明】
【図１】本発明のデータ転送システムが適用される移動通信システムの構成図である。
【図２】図１のシステムにおいて転送されるデータの形式を説明する図である。
【図３】転送装置と制御局との間の本発明にしたがう転送処理フローである。
【図４】制御局と基地局との間の本発明にしたがう転送処理フローである。
【図５】ファイル圧縮の具体例を説明する図（その１）である。
【図６】ファイル圧縮の具体例を説明する図（その２）である。
【図７】制御局から基地局へのデータ転送の手順について説明する図である。
【図８】制御局で転送装置から送られたデータをダウンロードしてファイルを更新する処理の手順を示す図である。
【図９】転送装置と制御局との間のデータ転送手順を具体的に説明する図である。
【図１０】制御局から基地局に対するデータ転送手順を具体的に説明する図である。
【図１１】基地局多様化時に対応する転送装置操作の方法を説明する図である。
【符号の説明】
１  転送装置
２  監視装置
３  交換機
４  制御局
５  基地局
１１  ファイル識別機能
１２  ファイル圧縮機能
１３  編集機能
１４  複数のファイルを格納管理する領域
１５  ファイルの格納及び管理を制御する機能
１６  ファイルを圧縮、解凍する機能
【図１】
0003714988.tif 000002
【図２】
0003714988.tif 000003
【図３】
0003714988.tif 000004
【図４】
0003714988.tif 000005
【図５】
0003714988.tif 000006
【図６】
0003714988.tif 000007
【図７】
0003714988.tif 000008
【図８】
0003714988.tif 000009
【図９】
0003714988.tif 000010
【図１０】
0003714988.tif 000011
【図１１】
0003714988.tif 000012